(57)【要約】【課題】  画像等のデータを記憶するための内蔵メモリにおいて記憶容量を節約することができる情報処理装置、情報処理方法及び情報処理プログラムを提供する。【解決手段】  本実施形態の撮像装置１０では、初期設定時に選択されなかった言語に対応する言語データ（非選択言語データ）１１２が削除されて、フラッシュメモリ５８内の言語データは選択言語データ１１４のみになり、フラッシュメモリ５８の空き容量が増加する（図６の下の図）。これにより、フラッシュメモリ５８の記憶容量を節約することができる。【選択図】      図６
2007124362.tif 000002
【特許請求の範囲】
【請求項１】
複数の言語に対応する言語データを含むデータ群を記憶する記憶手段と、
操作者からの操作入力に基づいて、前記複数の言語のうちから、装置の操作に使用する言語を選択する言語選択手段と、
前記記憶手段に記憶された言語データのうち、前記選択された言語に対応する言語データ以外の非選択言語データを削除して、前記記憶手段の空き容量を増やすデータ削除手段と、
を備えることを特徴とする情報処理装置。
【請求項２】
前記言語選択手段は、前記操作者から装置の操作に使用する言語の選択の指示入力を受け付けなかった場合に、装置の操作に使用する言語としてデフォルトの言語を選択し、
前記データ削除手段は、前記記憶手段に記憶された言語データのうち、前記デフォルトの言語に対応する言語データ以外の非選択言語データを削除することを特徴とする請求項１記載の情報処理装置。
【請求項３】
複数の言語に対応する言語データを含むデータ群を記憶する記憶手段と、
操作者からの操作入力に基づいて、前記複数の言語のうちから、装置の操作に使用する言語を選択する言語選択手段と、
前記記憶手段の記憶容量が足りなくなった場合に、前記記憶手段に記憶された言語データのうち、前記選択された言語に対応する言語データ以外の非選択言語データを削除して、前記記憶手段の空き容量を増やすデータ削除手段と、
を備えることを特徴とする情報処理装置。
【請求項４】
前記言語選択手段は、前記操作者から装置の操作に使用する言語の選択の指示入力を受け付けなかった場合に、装置の操作に使用する言語としてデフォルトの言語を選択し、
前記記憶手段の記憶容量が足りなくなった場合に、前記データ削除手段は、前記記憶手段に記憶された言語データのうち、前記デフォルトの言語に対応する言語データ以外の非選択言語データを削除することを特徴とする請求項３記載の情報処理装置。
【請求項５】
前記記憶手段は、前記非選択言語データを削除候補として記憶し、
前記データ削除手段は、前記削除候補の言語データを削除することを特徴とする請求項３又は４記載の情報処理装置。
【請求項６】
前記記憶手段の記憶容量が足りなくなった場合に、前記非選択言語データを削除するかどうかについて、操作者からの指示入力を受け付ける入力受付手段を更に備え、
前記非選択言語データを削除する旨の指示入力が受け付けられた場合に、前記データ削除手段は、前記非選択言語データを削除することを特徴とする請求項３から５のいずれか１項記載の情報処理装置。
【請求項７】
複数の言語に対応する言語データを含むデータ群を記憶手段に記憶する記憶工程と、
操作者からの操作入力に基づいて、前記複数の言語のうちから、装置の操作に使用する言語を選択する言語選択工程と、
前記記憶工程において記憶された言語データのうち、前記選択された言語に対応する言語データ以外の非選択言語データを削除して、前記記憶手段の空き容量を増やすデータ削除工程と、
を備えることを特徴とする情報処理方法。
【請求項８】
複数の言語に対応する言語データを含むデータ群を記憶手段に記憶する記憶工程と、
操作者からの操作入力に基づいて、前記複数の言語のうちから、装置の操作に使用する言語を選択する言語選択工程と、
前記記憶手段の記憶容量が足りなくなった場合に、前記記憶手段に記憶された言語データのうち、前記選択された言語に対応する言語データ以外の非選択言語データを削除して、前記記憶手段の空き容量を増やすデータ削除工程と、
を備えることを特徴とする情報処理方法。
【請求項９】
前記記憶手段の記憶容量が足りなくなった場合に、前記非選択言語データを削除するかどうかについて、操作者からの指示入力を受け付ける入力受付工程を更に備え、
前記入力受付工程において、前記非選択言語データを削除する旨の指示入力が受け付けられた場合に、前記データ削除工程において、前記非選択言語データを削除することを特徴とする請求項８記載の情報処理方法。
【請求項１０】
複数の言語に対応する言語データを含むデータ群を記憶手段に記憶する記憶機能と、
操作者からの操作入力に基づいて、前記複数の言語のうちから、装置の操作に使用する言語を選択する言語選択機能と、
前記記憶機能により記憶された言語データのうち、前記選択された言語に対応する言語データ以外の非選択言語データを削除して、前記記憶手段の空き容量を増やすデータ削除機能と、
をコンピュータに実現させることを特徴とする情報処理プログラム。
【請求項１１】
複数の言語に対応する言語データを含むデータ群を記憶手段に記憶する記憶機能と、
操作者からの操作入力に基づいて、前記複数の言語のうちから、装置の操作に使用する言語を選択する言語選択機能と、
前記記憶手段の記憶容量が足りなくなった場合に、前記記憶手段に記憶された言語データのうち、前記選択された言語に対応する言語データ以外の非選択言語データを削除して、前記記憶手段の空き容量を増やすデータ削除機能と、
をコンピュータに実現させることを特徴とする情報処理プログラム。
【請求項１２】
前記記憶手段の記憶容量が足りなくなった場合に、前記非選択言語データを削除するかどうかについて、操作者からの指示入力を受け付ける入力受付機能と、
前記入力受付機能により、前記非選択言語データを削除する旨の指示入力が受け付けられた場合に、前記データ削除機能により、前記非選択言語データを削除する機能と、
をコンピュータに実現させることを特徴とする請求項１１記載の情報処理プログラム。
【発明の詳細な説明】
【技術分野】
【０００１】
本発明は情報処理装置、情報処理方法及び情報処理プログラムに係り、特に画像等のデータを記憶するための内蔵メモリを有する情報処理装置等に関する。
【背景技術】
【０００２】
特許文献１には、複数のフォントデータ又は言語データを１の圧縮データに圧縮することにより、フラッシュメモリにおける記憶容量を節約することを可能にした情報処理装置について開示されている。
【特許文献１】特開２００５−１９５８３５号公報
【発明の開示】
【発明が解決しようとする課題】
【０００３】
上記の特許文献１に開示されたパーソナルコンピュータ等の情報処理装置では、言語の設定変更を行うことはまれであり、複数のフォントデータ又は言語データの圧縮データを保存しておく必要はなく、また、記憶容量の無駄になるという問題があった。
【０００４】
本発明はこのような事情に鑑みてなされたもので、画像等のデータを記憶するための内蔵メモリにおいて記憶容量を節約することができる情報処理装置、情報処理方法及び情報処理プログラムを提供することを目的とする。
【課題を解決するための手段】
【０００５】
上記目的を達成するために請求項１に係る情報処理装置は、複数の言語に対応する言語データを含むデータ群を記憶する記憶手段と、操作者からの操作入力に基づいて、前記複数の言語のうちから、装置の操作に使用する言語を選択する言語選択手段と、前記記憶手段に記憶された言語データのうち、前記選択された言語に対応する言語データ以外の非選択言語データを削除して、前記記憶手段の空き容量を増やすデータ削除手段とを備えることを特徴とする。
【０００６】
請求項１に係る情報処理装置によれば、装置の操作に使用する言語として選択されなかった言語に対応する言語データ（非選択言語データ）を削除することにより、記憶手段の空き容量を増加させ、記憶容量を有効に利用することができる。
【０００７】
請求項２に係る情報処理装置は、請求項１において、前記言語選択手段は、前記操作者から装置の操作に使用する言語の選択の指示入力を受け付けなかった場合に、装置の操作に使用する言語としてデフォルトの言語を選択し、前記データ削除手段は、前記記憶手段に記憶された言語データのうち、前記デフォルトの言語に対応する言語データ以外の非選択言語データを削除することを特徴とする。
【０００８】
請求項２に係る情報処理装置によれば、言語選択を行わなかった場合に、デフォルトの言語から変更しない場合には、不要な言語データを削除することにより、記憶手段の空き容量を増やすことができる。
【０００９】
請求項３に係る情報処理装置は、複数の言語に対応する言語データを含むデータ群を記憶する記憶手段と、操作者からの操作入力に基づいて、前記複数の言語のうちから、装置の操作に使用する言語を選択する言語選択手段と、前記記憶手段の記憶容量が足りなくなった場合に、前記記憶手段に記憶された言語データのうち、前記選択された言語に対応する言語データ以外の非選択言語データを削除して、前記記憶手段の空き容量を増やすデータ削除手段とを備えることを特徴とする。
【００１０】
請求項３に係る情報処理装置によれば、装置の動作中に記憶手段の記憶容量が足りなくなった場合に、非選択言語データを削除することにより、記憶手段の空き容量を増やすことができる。
【００１１】
請求項４に係る情報処理装置は、請求項３において、前記言語選択手段は、前記操作者から装置の操作に使用する言語の選択の指示入力を受け付けなかった場合に、装置の操作に使用する言語としてデフォルトの言語を選択し、前記記憶手段の記憶容量が足りなくなった場合に、前記データ削除手段は、前記記憶手段に記憶された言語データのうち、前記デフォルトの言語に対応する言語データ以外の非選択言語データを削除することを特徴とする。
【００１２】
請求項４に係る情報処理装置によれば、言語選択を行わなかった場合にも、装置の動作中に記憶手段の記憶容量が足りなくなった場合に、必要に応じて不要な言語データを削除することにより、記憶手段の空き容量を増やすことができる。
【００１３】
請求項５に係る情報処理装置は、請求項３又は４において、前記記憶手段は、前記非選択言語データを削除候補として記憶し、前記データ削除手段は、前記削除候補の言語データを削除することを特徴とする。
【００１４】
請求項５に係る情報処理装置によれば、非選択言語データを削除候補として記憶しておくことにより、記憶容量が足りなくなった場合に、非選択言語データをすぐに削除することができる。
【００１５】
請求項６に係る情報処理装置は、請求項３から５において、前記記憶手段の記憶容量が足りなくなった場合に、前記非選択言語データを削除するかどうかについて、操作者からの指示入力を受け付ける入力受付手段を更に備え、前記非選択言語データを削除する旨の指示入力が受け付けられた場合に、前記データ削除手段は、前記非選択言語データを削除することを特徴とする。
【００１６】
請求項６に係る情報処理装置によれば、非選択言語データを削除して記憶容量を確保するかどうか選択することができる。
【００１７】
請求項７に係る情報処理方法は、複数の言語に対応する言語データを含むデータ群を記憶手段に記憶する記憶工程と、操作者からの操作入力に基づいて、前記複数の言語のうちから、装置の操作に使用する言語を選択する言語選択工程と、前記記憶工程において記憶された言語データのうち、前記選択された言語に対応する言語データ以外の非選択言語データを削除して、前記記憶手段の空き容量を増やすデータ削除工程とを備えることを特徴とする。
【００１８】
請求項８に係る情報処理方法は、複数の言語に対応する言語データを含むデータ群を記憶手段に記憶する記憶工程と、操作者からの操作入力に基づいて、前記複数の言語のうちから、装置の操作に使用する言語を選択する言語選択工程と、前記記憶手段の記憶容量が足りなくなった場合に、前記記憶手段に記憶された言語データのうち、前記選択された言語に対応する言語データ以外の非選択言語データを削除して、前記記憶手段の空き容量を増やすデータ削除工程とを備えることを特徴とする。
【００１９】
請求項９に係る情報処理方法は、請求項８において、前記記憶手段の記憶容量が足りなくなった場合に、前記非選択言語データを削除するかどうかについて、操作者からの指示入力を受け付ける入力受付工程を更に備え、前記入力受付工程において、前記非選択言語データを削除する旨の指示入力が受け付けられた場合に、前記データ削除工程において、前記非選択言語データを削除することを特徴とする。
【００２０】
請求項１０に係る情報処理プログラムは、複数の言語に対応する言語データを含むデータ群を記憶手段に記憶する記憶機能と、操作者からの操作入力に基づいて、前記複数の言語のうちから、装置の操作に使用する言語を選択する言語選択機能と、前記記憶機能により記憶された言語データのうち、前記選択された言語に対応する言語データ以外の非選択言語データを削除して、前記記憶手段の空き容量を増やすデータ削除機能とをコンピュータに実現させることを特徴とする。
【００２１】
請求項１１に係る情報処理プログラムは、複数の言語に対応する言語データを含むデータ群を記憶手段に記憶する記憶機能と、操作者からの操作入力に基づいて、前記複数の言語のうちから、装置の操作に使用する言語を選択する言語選択機能と、前記記憶手段の記憶容量が足りなくなった場合に、前記記憶手段に記憶された言語データのうち、前記選択された言語に対応する言語データ以外の非選択言語データを削除して、前記記憶手段の空き容量を増やすデータ削除機能とをコンピュータに実現させることを特徴とする。
【００２２】
請求項１２に係る情報処理プログラムは、請求項１１において、前記記憶手段の記憶容量が足りなくなった場合に、前記非選択言語データを削除するかどうかについて、操作者からの指示入力を受け付ける入力受付機能と、前記入力受付機能により、前記非選択言語データを削除する旨の指示入力が受け付けられた場合に、前記データ削除機能により、前記非選択言語データを削除する機能とをコンピュータに実現させることを特徴とする。
【００２３】
請求項１０から１２に係る情報処理プログラムを含むソフトウェアやファームウェアをパーソナルコンピュータ（ＰＣ）のほか、撮像装置（電子カメラ、デジタルカメラ）やビデオ再生装置（ビデオデッキ、テレビ）、デジタルカメラ、携帯電話等の装置に適用することにより、本発明の情報処理装置及び情報処理方法を実現することができる。
【発明の効果】
【００２４】
本発明によれば、装置の操作に使用する言語として選択されなかった言語に対応する言語データ（非選択言語データ）を削除することにより、記憶手段の空き容量を増加させ、記憶容量を有効に利用することができる。
【発明を実施するための最良の形態】
【００２５】
以下、添付図面に従って本発明に係る情報処理装置、情報処理方法及び情報処理プログラムの好ましい実施の形態について説明する。
【００２６】
図１及び図２は、本発明の一実施形態に係る情報処理装置を備える撮像装置（電子カメラ、デジタルカメラ）を示す図である。図１は正面斜視図であり、図２は背面斜視図である。本実施形態の撮像装置１０のカメラボディ１２は、扁平状の四角い箱型に形成されている。図１に示すように、カメラボディ１２の正面には、撮影レンズ１４、ストロボ１６及びファインダ窓１８等が設けられており、上面には、レリーズボタン２０及び電源スイッチ２２が設けられている。図２に示すように、カメラボディ１２の背面には、ファインダ接眼部２４、ファインダランプ２６、液晶モニタ２８、モードスイッチ３０、ズームボタン３２、マクロボタン３４、ストロボボタン３６、ＭＥＮＵ／ＯＫボタン３８、ＢＡＣＫボタン４０及び表示ボタン４２等が設けられている。
【００２７】
電源スイッチ２２は、スライド式のスイッチであり、撮像装置１０の電源は、電源スイッチ２２をスライド操作することによりＯＮ／ＯＦＦされる。撮影レンズ１４は、沈胴式のズームレンズで構成されており、撮像装置１０の電源をオンにすることにより、カメラボディ１２の正面から繰り出される。そして、撮像装置１０の電源をオフにすることにより、カメラボディ１２内に沈胴する。
【００２８】
カメラボディ１２の上面に設けられたレリーズボタン２０は、いわゆる「半押し」と「全押し」とからなる２段ストロークタイプのボタンで構成されており、「半押し」でＡＦ（Auto Focus：自動焦点合わせ）、ＡＥ（Auto Exposure：自動露出）が機能し、「全押し」で撮影が実行される。
【００２９】
カメラボディ１２の背面に設けられた液晶モニタ２８は、撮影した画像の再生用モニタとして使用されるとともに、撮影時には電子ビューファインダとして使用される。表示ボタン４２は、この電子ビューファインダのＯＮ／ＯＦＦ切替ボタンとして機能する。また、液晶モニタ２８は、ユーザインターフェース用表示画面としても利用され、必要に応じてメニュー情報や選択項目、設定内容等の情報が表示される。なお、液晶モニタ２８に代えて、有機ＥＬ（electro-luminescence）等の他の方式の表示装置を用いることも可能である。
【００３０】
モードスイッチ３０は、撮像装置１０のモードを切り替えるスイッチとして機能し、その設定位置によって静止画の撮影を行なう「撮影モード」と、撮影した画像を再生する「再生モード」とに切り替えられる。
【００３１】
ズームボタン３２は、上下方向に揺動自在なシーソーボタンで構成されており、ズーム操作時の操作ボタンとして機能する。すなわち、撮影モードの下、このズームボタン３２を上方向に操作することにより、ズームがテレ方向に操作され、下方向に操作することにより、ズームがワイド方向に操作される。
【００３２】
また、このズームボタン３２は、再生モードの下、再生画像のズームボタンとしても機能する。すなわち、再生モードの下、このズームボタン３２を上方向に操作することにより、再生画像が拡大表示され、下方向に操作することにより、再生画像が縮小表示される。
【００３３】
マクロボタン３４は、マクロ機能（接写機能）のＯＮ／ＯＦＦを切り替えるボタンとして機能し、撮影モードの下、このマクロボタン３４を押圧操作することにより、マクロ機能がＯＮ又はＯＦＦされる。また、このマクロボタン３４は、再生モードの下、コマ戻しボタン（１コマ前の画像が表示されるように指示するボタン）として機能する。
【００３４】
ストロボボタン３６は、ストロボモードを切り替えるボタンとして機能し、撮影モードの下、このストロボボタン３６を押圧操作することにより、ストロボモードが、ストロボ発光／発光禁止の各モードに設定される。また、このストロボボタン３６は、再生モードの下、コマ送りボタン（１コマ後の画像が表示されるように支持するボタン）として機能する。
【００３５】
ＭＥＮＵ／ＯＫボタン３８は、メニュー画面の表示を指示するボタンとして機能し、このＭＥＮＵ／ＯＫボタン３８が押されることにより、液晶モニタ２８にメニュー画面が表示される。また、このＭＥＮＵ／ＯＫボタン３８は、メニュー画面から選択した項目の確定や動作の実行を指示するボタンとして機能し、ＢＡＣＫボタン４０は、メニュー画面で選んだ項目の取消や一つ前の状態に戻すことを指示するボタンとして機能する。
【００３６】
なお、このメニュー画面が表示されている場合において、ズームボタン３２、マクロボタン３４、ストロボボタン３６の３つのボタンは、十字キーとして機能し、この３つのボタンを利用してメニュー項目の選択等が行なわれる。
【００３７】
図３は、撮像装置１０の主要構成を示すブロック図である。図３に示す撮像装置１０は、静止画や動画の記録及び再生機能を備えたデジタルカメラであり、撮像装置１０全体の動作は中央処理装置（ＣＰＵ）５０によって統括制御される。ＣＰＵ５０は、所定のプログラムに従って本カメラシステムを制御する制御手段として機能するとともに、自動露出（ＡＥ）演算、自動焦点調節（ＡＦ）演算、ホワイトバランス（ＷＢ）調整演算等、各種演算を実施する演算手段として機能する。電源回路５２は、本カメラシステムの各ブロックに電源を供給する。
【００３８】
ＣＰＵ５０には、バス５４を介してＲＯＭ（Read Only Memory）５６及びフラッシュメモリ５８が接続されている。ＲＯＭ５６には、ＣＰＵ５０が実行するプログラム及び制御に必要な各種データ等が格納され、フラッシュメモリ５８には、ＣＣＤ画素欠陥情報、カメラ動作に関する各種定数／情報等が格納されている。また、フラッシュメモリ５８には、複数の言語に対応する言語データ（言語データ、フォントデータ等）が格納されている。
【００３９】
また、メモリ（ＳＤＲＡＭ、Synchronous Dynamic Random Access Memory）６０は、プログラムの展開領域及びＣＰＵ５０の演算作業用領域として利用されるとともに、画像データや音声データの一時記憶領域として利用される。ＶＲＡＭ（Video Random Access Memory）６２は、画像データ専用の一時記憶メモリであり、Ａ領域６２ＡとＢ領域６２Ｂを含んでいる。なお、メモリ６０とＶＲＡＭ６２は共用することが可能である。
【００４０】
操作スイッチ群６４は、上記したレリーズボタン２０及び電源スイッチ２２等を含むブロックである。これら各種の操作スイッチからの信号はＣＰＵ５０に入力され、ＣＰＵ５０は入力信号に基づいて撮像装置１０の各回路を制御し、例えば、レンズ駆動制御、撮影動作制御、画像処理制御、画像データの記録／再生制御、液晶モニタ２８の表示制御等を行う。
【００４１】
撮像装置１０は、メディアソケット（メディア装着部）６６を有し、メディアソケット６６には記録メディア６８を装着することができる。記録メディア６８の形態としては、xD-PictureCard（商標）、スマートメディア（商標）に代表される半導体メモリカード、可搬型小型ハードディスク、磁気ディスク、光ディスク、光磁気ディスク等、種々の媒体を用いることができる。メディアコントローラ７０は、メディアソケット６６に装着される記録メディア６８に適した入出力信号の受渡しを行うために所要の信号変換を行う。
【００４２】
また、撮像装置１０は、パーソナルコンピュータその他の外部機器と接続するための通信手段として外部接続インターフェース（Ｉ／Ｆ）部７２を備える。撮像装置１０は、図示せぬＵＳＢケーブル等を用いて撮像装置１０と外部機器を接続することにより、外部機器との間でデータの受渡しが可能となる。なお、外部機器との通信方式はＵＳＢに限らず、IEEE1394やBluetooth、その他の通信方式を適用してもよい。
【００４３】
次に、撮像装置１０の撮影機能について説明する。モードスイッチ３０によって撮影モードが選択されると、カラーＣＣＤ固体撮像素子７４（以下の説明では、ＣＣＤ７４と記載する）を含む撮像部に電源が供給され、撮影可能な状態になる。
【００４４】
レンズユニット７６は、フォーカスレンズ７８及びズームレンズ８０を含む撮影レンズ１４と、絞り兼用メカシャッタ８２とを含む光学ユニットである。撮影レンズ１４のフォーカシングは、フォーカスレンズ７８をフォーカスモータ７８Ａによって移動させることにより行われ、ズーミングは、ズームレンズ８０をズームモータ８０Ａで移動させることにより行われる。フォーカスモータ７８Ａとズームモータ８０Ａは、それぞれフォーカスモータドライバ７８Ｂとズームモータドライバ８０Ｂにより駆動制御される。ＣＰＵ５０は、このフォーカスモータドライバ７８Ｂとズームモータドライバ８０Ｂに制御信号を出力して制御する。
【００４５】
絞り８２は、いわゆるターレット型絞りで構成されており、Ｆ２．８からＦ８の絞り孔が穿孔されたターレット板を回転させて絞り値（Ｆ値）を変化させる。この絞り８２の駆動はアイリスモータ８２Ａによって行われる。アイリスモータ８２Ａはアイリスモータドライバ８２Ｂにより駆動制御される。ＣＰＵ５０は、このアイリスモータドライバ８２Ｂに制御信号を出力して制御する。
【００４６】
レンズユニット７６を通過した光は、ＣＣＤ７６の受光面に結像される。ＣＣＤ７４の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプ等）で配置されている。また、ＣＣＤ７４は、各フォトダイオードの電荷蓄積時間（シャッタースピード）を制御する電子シャッター機能を有している。ＣＰＵ５０は、タイミングジェネレータ（ＴＧ）８４を介してＣＣＤ７４での電荷蓄積時間を制御する。
【００４７】
ＣＣＤ７４の受光面に結像された被写体像は、各フォトダイオードによって入射光量に応じた量の信号電荷に変換される。各フォトダイオードに蓄積された信号電荷は、ＣＰＵ５０の指令に従いＴＧ８４から与えられる駆動パルスに基づいて信号電荷に応じた電圧信号（画像信号）として順次読み出される。
【００４８】
ＣＣＤ７４から出力された信号はアナログ処理部（ＣＤＳ／ＡＭＰ）８６に送られ、ここで画素ごとのＲ、Ｇ、Ｂ信号がサンプリングホールド（相関二重サンプリング処理）され、増幅された後、Ａ／Ｄ変換器８８に加えられる。Ａ／Ｄ変換器８８によってデジタル信号に変換された点順次のＲ、Ｇ、Ｂ信号は、画像入力コントローラ９０を介してメモリ６０に記憶される。
【００４９】
画像信号処理回路９２は、メモリ６０に記憶されたＲ、Ｇ、Ｂ信号をＣＰＵ５０の指令に従って処理する。すなわち、画像信号処理回路９２は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ５０からのコマンドに従ってメモリ６０を活用しながら所定の信号処理を行う。
【００５０】
画像信号処理回路９２に入力されたＲＧＢの画像データは、画像信号処理回路９２において輝度信号（Ｙ信号）及び色差信号（Ｃｒ、Ｃｂ信号）に変換されるとともに、ガンマ補正等の所定の処理が施される。画像信号処理回路９２で処理された画像データはＶＲＡＭ６２に格納される。
【００５１】
撮影画像を液晶モニタ２８にモニタ出力する場合、ＶＲＡＭ６２から画像データが読み出され、バス５４を介してビデオエンコーダ９４に送られる。ビデオエンコーダ９４は、入力された画像データを表示用の所定方式の信号（例えば、ＮＴＳＣ方式のカラー複合画像信号）に変換して液晶モニタ２８に出力する。
【００５２】
ＣＣＤ７４から出力される画像信号によって、１コマ分の画像を表す画像データがＶＲＡＭ６２のＡ領域６２ＡとＢ領域６２Ｂとで交互に書き換えられる。ＶＲＡＭ６２のＡ領域６２Ａ及びＢ領域６２Ｂのうち、画像データが書き換えられている方の領域以外の領域から、書き込まれている画像データが読み出される。このようにしてＶＲＡＭ６２内の画像データが定期的に書き換えられ、その画像データから生成される画像信号が液晶モニタ２８に供給されることにより、撮像中の映像がリアルタイムに液晶モニタ２８に表示される。撮影者は、液晶モニタ２８に表示される映像（スルームービー画）によって撮影画角を確認できる。
【００５３】
レリーズボタン２０が半押しされると、撮像装置１０はＡＥ及びＡＦ処理を開始する。すなわち、ＣＣＤ７４から出力された画像信号はＡ／Ｄ変換後に画像入力コントローラ９０を介してＡＦ検出回路９６並びにＡＥ／ＡＷＢ検出回路９８に入力される。
【００５４】
ＡＥ／ＡＷＢ検出回路９８は、１画面を複数のエリア（例えば、８×８又は１６×１６）に分割し、分割エリアごとにＲＧＢ信号を積算する回路を含み、その積算値をＣＰＵ５０に提供する。ＣＰＵ５０は、ＡＥ／ＡＷＢ検出回路９８９から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ５０はＣＣＤ７４の電子シャッター及びアイリスを制御して適正な露光量を得る。
【００５５】
また、ＡＥ／ＡＷＢ検出回路９８は、自動ホワイトバランス調整時には、分割エリアごとにＲＧＢ信号の色別の平均積算値を算出し、その算出結果をＣＰＵ５０に提供する。ＣＰＵ５０は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇ軸座標の色空間における分布等に基づいて光源種判別を行い、判別された光源種に応じてホワイトバランス調整回路のＲ、Ｇ、Ｂ信号に対するゲイン値（ホワイトバランス補正値）を制御し、各色チャンネルの信号に補正をかける。なお、ホワイトバランス調整の詳細は後述する。
【００５６】
撮像装置１０におけるＡＦ制御は、例えば、画像信号のＧ信号の高周波成分が極大になるようにフォーカスレンズ７８を移動させるコントラストＡＦが適用される。すなわち、ＡＦ検出回路９６は、Ｇ信号の高周波成分のみを通過させるハイパスフィルタ、絶対値化処理部、画面内（例えば、画面中央部）にあらかじめ設定されているフォーカス対象エリア内の信号を切り出すＡＦエリア抽出部及びＡＦエリア内の絶対値データを積算する積算部から構成される。
【００５７】
ＡＦ検出回路９６により求められた積算値のデータはＣＰＵ５０に通知される。ＣＰＵ５０は、フォーカスモータドライバ７８Ｂを制御してフォーカスレンズ７８を移動させながら、複数のＡＦ検出ポイントで焦点評価値（ＡＦ評価値）を演算し、評価値が極大となるレンズ位置を合焦位置として決定する。そして、ＣＰＵ５０は、求めた合焦位置にフォーカスレンズ７８を移動させるようにフォーカスモータドライバ７８Ｂを制御する。なお、ＡＦ評価値の演算はＧ信号を利用する態様に限らず、輝度信号（Ｙ信号）を利用してもよい。
【００５８】
レリーズボタン２０が半押しされ、ＡＥ／ＡＦ処理が行われ、レリーズボタン２０が全押しされ、記録用の撮影動作がスタートする。レリーズボタン２０の全押しに応動して取得された画像データは画像信号処理回路９２において輝度／色差信号（Ｙ／Ｃ信号）に変換され、ガンマ補正等の所定の処理が施された後、メモリ６０に格納される。
【００５９】
メモリ６０に格納されたＹ／Ｃ信号は、圧縮伸張回路１００によって所定のフォーマットに従って圧縮された後、メディアコントローラ７０を介して記録メディア６８に記録される。例えば、静止画についてはＪＰＥＧ（Joint Photographic Experts Group）形式で記録される。
【００６０】
モードスイッチ３０により再生モードが選択されると、記録メディア６８に記録されている最終の画像ファイル（最後に記録されたファイル）の圧縮データが読み出される。最後の記録に係るファイルが静止画ファイルの場合、この読み出された画像圧縮データは、圧縮伸張回路１００を介して非圧縮のＹＣ信号に伸張され、画像信号処理回路９２及びビデオエンコーダ９４を介して表示用の信号に変換された後、液晶モニタ２８に出力される。これにより、当該ファイルの画像内容が液晶モニタ２８の画面上に表示される。
【００６１】
静止画の一コマ再生中（動画の先頭フレーム再生中も含む）に、ストロボボタン３６（右キー）又はマクロボタン３４（左キー）を操作することによって、再生対象のファイルを切り換えること（順コマ送り／逆コマ送り）ができる。コマ送りされた位置の画像ファイルが記録メディア６８から読み出され、上記と同様にして静止画像や動画が液晶モニタ２８に再生表示される。
【００６２】
また、再生モード時に、パーソナルコンピュータやテレビ等の外部ディスプレイがビデオ入出力端子１０２を介して撮像装置１０に接続されている場合には、記録メディア６８に記録されている画像データはビデオ出力回路１０４により処理されて、この外部ディスプレイに再生表示される。
【００６３】
また、ＣＰＵ５０には、オーディオ入出力回路１０６が接続される。オーディオ入出力回路１０６には、スピーカ１０８及びマイク１１０が接続され、撮影モード時や再生モード時等における各種動作音が再生出力されるとともに、動画撮影時の音声信号が入力される。
【００６４】
次に、本実施形態の撮像装置１０の初期設定の処理について、図４以降を参照して説明する。なお、図４に示す処理は、例えば、撮像装置１０の購入時等に行われる。まず、電源スイッチ２２が操作されて、電源がオンになると、撮像装置１０を制御するプログラムに用いる各種のパラメータの初期化処理（ステップＳ１０）、電源立上げ処理（ステップＳ１２）が行われる。次に、撮像装置１０の日付設定が行われていない場合には（ステップＳ１４のＮｏ）、日付設定を行うように促す表示が液晶モニタ２８に表示され、日付設定を受け付ける状態になる（ステップＳ１６）。そして、日付設定処理が完了すると、ステップＳ１８に進む。一方、撮像装置１０の日付設定が行われている場合には（ステップＳ１４のＹｅｓ）、ステップＳ１８に進む。
【００６５】
次に、図５に示すように、撮像装置１０の操作、液晶モニタ２８における操作メニュー等の表示に使用される言語の選択を促す画面が液晶モニタ２８に表示され、言語選択を受け付ける状態になる（ステップＳ１８）。そして、十字キー（ズームボタン３２、マクロボタン３４、ストロボボタン３６）等が操作されて言語選択が完了すると、選択されなかった言語に対応する言語データ（非選択言語データ）がフラッシュメモリ５８から削除される（ステップＳ２０）。
【００６６】
図６は、フラッシュメモリ５８内の記憶領域を模式的に示すブロック図である。図６に示すように、本実施形態の撮像装置１０では、初期設定時に選択されなかった言語に対応する言語データ（非選択言語データ）１１２が削除されて、フラッシュメモリ５８内の言語データは選択言語データ１１４のみになり、フラッシュメモリ５８の空き容量が増加する（図６の下の図）。これにより、フラッシュメモリ５８の記憶容量を節約することができる。
【００６７】
なお、本実施形態の撮像装置１０において、言語選択を変更したい場合には、例えば、削除された非選択言語データ１１４を外部機器接続Ｉ／Ｆ７２等を介して接続された外部機器や、ネットワークから取得することができる。
【００６８】
なお、上記の実施形態では、非選択言語データ１１４の削除を、撮像装置１０の初期設定時に行うようにしたが、撮像装置１０の動作時に必要に応じて行うようにしてもよい。図７は、撮像装置１０の撮影時における処理の流れを示すフローチャートである。
【００６９】
まず、撮像装置１０の初期設定時において、電源スイッチ２２が操作されて、電源がオンになると、撮像装置１０を制御するプログラムに用いる各種のパラメータの初期化処理（ステップＳ３０）、電源立上げ処理（ステップＳ３２）が行われる。次に、撮像装置１０の日付設定が行われていない場合には（ステップＳ３４のＮｏ）、日付設定を行うように促す表示が液晶モニタ２８に表示され、日付設定を受け付ける状態になる（ステップＳ３６）。そして、日付設定処理が完了すると、ステップＳ３８に進む。一方、撮像装置１０の日付設定が行われている場合には（ステップＳ３４のＹｅｓ）、ステップＳ３８に進む。
【００７０】
次に、撮像装置１０の操作、液晶モニタ２８における操作メニュー等の表示に使用される言語の選択を促す画面が液晶モニタ２８に表示され（図５参照）、言語選択を受け付ける状態になる（ステップＳ３８）。そして、十字キー（ズームボタン３２、マクロボタン３４、ストロボボタン３６）等が操作されて言語選択が完了すると、選択されなかった言語に対応する言語データ（非選択言語データ）にマーキングされる（ステップＳ４０）。なお、ステップＳ４０では、非選択言語データに所定のマークやフラグを付してもよいし、非選択言語データ１１４を特定するデータファイル等を生成するようにしてもよい。
【００７１】
次に、撮像処理時において、レリーズボタン２０が押下（半押し又は全押し）されると（ステップＳ４２のＹｅｓ）、ＣＰＵ５０により、記録画素数、画質等の設定内容情報が取得されて、記録メディア６８の空き容量が参照される。そして、ＣＰＵ５０により、上記設定内容情報に基づいて撮影された画像を記録するだけの空き容量が記録メディア６８にないと判断されると、フラッシュメモリ５８の空き容量が参照される（ステップＳ４４）。上記設定内容情報に基づいて撮影された画像を記録するだけの空き容量がフラッシュメモリ５８にあると判断された場合（ステップＳ４４のＹｅｓ）、撮影処理が行われ、撮像された画像はフラッシュメモリ５８に保存される（ステップＳ４８）。
【００７２】
一方、上記設定内容情報に基づいて撮影された画像を記録するだけの空き容量がフラッシュメモリ５８にないと判断された場合（ステップＳ４４のＮｏ）、ＣＰＵ５０により、非選択言語データを削除しても画像を保存するための空き容量を確保できないと判断された場合には、撮影処理は行わず、液晶モニタ２８に警告を表示して終了する。一方、非選択言語データを削除すれば、画像を保存するための空き容量を確保できると判断された場合には、非選択言語データがフラッシュメモリ５８から削除されて（ステップＳ４６）、撮影処理が行われる（ステップＳ４８）。
【００７３】
本実施形態によれば、撮像装置１０により撮影を行っている最中に、画像を記録するための記録メディア６８の空き容量がなくなった場合に、フラッシュメモリ５８に画像を記録することができるとともに、フラッシュメモリ５８の空き容量も足りない場合には、非選択言語データ１１２を削除してフラッシュメモリ５８の空き容量を増やして画像を記録することができる。
【００７４】
なお、上記のステップＳ４２では、レリーズボタン２０の半押し時、すなわち、ＡＥ又はＡＦ時に、記録メディア６８やフラッシュメモリ５８の空き容量を確認するようにしたが、例えば、全押し時であってもよい。また、撮影の都度、記録メディア６８やフラッシュメモリ５８の空き容量を確認して、空き容量が足りなくなった段階で非選択言語データを削除してもよいし、又は、設定内容（記録画素数や画質等）の変更を促す表示を行ってもよい。
【００７５】
次に、撮影時の処理の流れの別の実施形態について説明する。図８は、撮像装置１０の撮影時における処理の第２の実施形態を示すフローチャートである。なお、初期設定時の処理（ステップＳ５０からＳ６０）は、図７のステップＳ３０からＳ４０と同様であるため説明を省略する。
【００７６】
撮像処理時において、レリーズボタン２０が押下（半押し又は全押し）されると（ステップＳ６２のＹｅｓ）、ＣＰＵ５０により、記録画素数、画質等の設定内容情報が取得されて、記録メディア６８の空き容量が参照される。そして、ＣＰＵ５０により、上記設定内容情報に基づいて撮影された画像を記録するだけの空き容量が記録メディア６８にないと判断されると、フラッシュメモリ５８の空き容量が参照される（ステップＳ６４）。上記設定内容情報に基づいて撮影された画像を記録するだけの空き容量がフラッシュメモリ５８にあると判断された場合（ステップＳ６４のＹｅｓ）、撮影処理が行われ、撮像された画像はフラッシュメモリ５８に保存される（ステップＳ７０）。
【００７７】
一方、上記設定内容情報に基づいて撮影された画像を記録するだけの空き容量がフラッシュメモリ５８にないと判断された場合（ステップＳ６４のＮｏ）、ＣＰＵ５０により、非選択言語データを削除しても画像を保存するための空き容量を確保できないと判断された場合には、撮影処理は行わずに、液晶モニタ２８に警告を表示して終了する。
【００７８】
一方、非選択言語データを削除すれば、画像を保存するための空き容量を確保できると判断された場合には、図９に示すように、非選択言語データを削除するかどうかを確認する確認画面が液晶モニタ２８に表示される（ステップＳ６６）。そして、非選択言語データを削除する場合には、ＭＥＮＵ／ＯＫボタン３８が押下されたことを検知すると（ステップＳ６６のＹｅｓ）、非選択言語データがフラッシュメモリ５８から削除されて（ステップＳ６８）、撮影処理が行われる（ステップＳ７０）。一方、非選択言語データを削除しない場合には、ＢＡＣＫボタン４０が押下されたことを検知すると（ステップＳ６６のＮｏ）、図１０に示すように、液晶モニタ２８に警告画面が表示されて、画像は保存されずに終了する（ステップＳ７２）。
【００７９】
本実施形態によれば、撮影中に、記録メディア６８及びフラッシュメモリ５８の両方とも空き容量がなくなった場合に、非選択言語データを削除して空き容量を確保するかどうか選択することができる。
【００８０】
次に、撮影時の処理の流れの第３の実施形態について、図１１を参照して説明する。まず、撮像装置１０の初期設定時において、電源スイッチ２２が操作されて、電源がオンになると、撮像装置１０を制御するプログラムに用いる各種のパラメータの初期化処理（ステップＳ８０）、電源立上げ処理（ステップＳ８２）が行われる。次に、撮像装置１０の日付設定が行われていない場合には（ステップＳ８４のＮｏ）、日付設定を行うように促す表示が液晶モニタ２８に表示され、日付設定を受け付ける状態になる（ステップＳ８６）。そして、日付設定処理が完了すると、ステップＳ８８に進む。一方、撮像装置１０の日付設定が行われている場合には（ステップＳ８４のＹｅｓ）、ステップＳ８８に進む。
【００８１】
次に、撮像装置１０の操作、液晶モニタ２８における操作メニュー等の表示に使用される言語の選択を促す画面が液晶モニタ２８に表示され（図５参照）、言語選択を受け付ける状態になる（ステップＳ８８）。そして、十字キー（ズームボタン３２、マクロボタン３４、ストロボボタン３６）等が操作されて言語選択が完了すると（ステップＳ８８のＹｅｓ）、選択されなかった言語に対応する言語データ（非選択言語データ）にマーキングされる（ステップＳ９０）。なお、ステップＳ９０では、非選択言語データに所定のマークやフラグを付してもよいし、非選択言語データ１１４を特定するデータファイル等を生成するようにしてもよい。一方、ＢＡＣＫボタン４０等により言語選択がキャンセルされた場合には（ステップＳ８８のＮｏ）、初期設定を終了する。
【００８２】
次に、撮像処理時において、レリーズボタン２０が押下（半押し又は全押し）されると（ステップＳ９２のＹｅｓ）、ＣＰＵ５０により、記録画素数、画質等の設定内容情報が取得されて、記録メディア６８の空き容量が参照される。そして、ＣＰＵ５０により、上記設定内容情報に基づいて撮影された画像を記録するだけの空き容量が記録メディア６８にないと判断されると、フラッシュメモリ５８の空き容量が参照される（ステップＳ９４）。上記設定内容情報に基づいて撮影された画像を記録するだけの空き容量がフラッシュメモリ５８にあると判断された場合（ステップＳ９４のＹｅｓ）、撮影処理が行われ、撮像された画像はフラッシュメモリ５８に保存される（ステップＳ１００）。
【００８３】
一方、上記設定内容情報に基づいて撮影された画像を記録するだけの空き容量がフラッシュメモリ５８にないと判断された場合（ステップＳ９４のＮｏ）、ＣＰＵ５０により、非選択言語データを削除しても画像を保存するための空き容量を確保できないと判断された場合には、撮影処理は行わずに、液晶モニタ２８に警告を表示して終了する。
【００８４】
一方、非選択言語データを削除すれば、画像を保存するための空き容量を確保できると判断された場合には、フラッシュメモリ５８内の言語データが参照されて、非選択言語データのマーキングがあるかどうか、すなわち、初期設定時に言語選択が行われているかどうか確認される（ステップＳ９６）。初期設定時に言語選択が行われており、非選択言語データのマーキングがある場合には（ステップＳ９６のＹｅｓ）、非選択言語データがフラッシュメモリ５８から削除されて（ステップＳ９８）、撮影処理が行われる（ステップＳ１００）。一方、初期設定時に言語選択が行われておらず、非選択言語データのマーキングがない場合には（ステップＳ９６のＮｏ）、図１２に示すように、液晶モニタ２８に警告画面が表示されて、画像は保存されずに終了する（ステップＳ１０２）。
【００８５】
本実施形態によれば、例えば、日付設定や言語選択等の初期設定を行わずに撮影を行った場合に、後で言語選択が可能なように非選択言語データを保持できる。
【００８６】
次に、撮影時の処理の流れの第４の実施形態について、図１３を参照して説明する。なお、初期設定時の処理（ステップＳ１１０からＳ１２０）は、図１１のステップＳ８０からＳ９０と同様であるため説明を省略する。
【００８７】
撮像処理時において、レリーズボタン２０が押下（半押し又は全押し）されると（ステップＳ１２２のＹｅｓ）、ＣＰＵ５０により、記録画素数、画質等の設定内容情報が取得されて、記録メディア６８の空き容量が参照される。そして、ＣＰＵ５０により、上記設定内容情報に基づいて撮影された画像を記録するだけの空き容量が記録メディア６８にないと判断されると、フラッシュメモリ５８の空き容量が参照される（ステップＳ１２４）。上記設定内容情報に基づいて撮影された画像を記録するだけの空き容量がフラッシュメモリ５８にあると判断された場合（ステップＳ１２４のＹｅｓ）、撮影処理が行われ、撮像された画像はフラッシュメモリ５８に保存される（ステップＳ１３０）。
【００８８】
一方、上記設定内容情報に基づいて撮影された画像を記録するだけの空き容量がフラッシュメモリ５８にないと判断された場合（ステップＳ１２４のＮｏ）、ＣＰＵ５０により、非選択言語データを削除しても画像を保存するための空き容量を確保できないと判断された場合には、撮影処理は行わずに、液晶モニタ２８に警告を表示して終了する。一方、非選択言語データを削除すれば、画像を保存するための空き容量を確保できると判断された場合には、フラッシュメモリ５８内の言語データが参照されて、非選択言語データのマーキングがあるかどうか、すなわち、初期設定時に言語選択が行われているかどうか確認される（ステップＳ１２６）。初期設定時に言語選択が行われており、非選択言語データのマーキングがある場合には（ステップＳ１２６のＹｅｓ）、非選択言語データがフラッシュメモリ５８から削除されて（ステップＳ１２８）、撮影処理が行われる（ステップＳ１３０）。
【００８９】
一方、初期設定時に言語選択が行われておらず、非選択言語データのマーキングがない場合には（ステップＳ１２６のＮｏ）、非選択言語データを削除するかどうかを確認する確認画面（図９参照）が液晶モニタ２８に表示される（ステップＳ１３２）。そして、非選択言語データを削除する場合には、ＭＥＮＵ／ＯＫボタン３８が押下されたことを検知すると（ステップＳ１３２のＹｅｓ）、非選択言語データがフラッシュメモリ５８から削除されて（ステップＳ１２８）、撮影処理が行われる（ステップＳ１３０）。一方、非選択言語データを削除しない場合には、ＢＡＣＫボタン４０が押下されたことを検知すると（ステップＳ１３２のＮｏ）、液晶モニタ２８に警告メッセージが表示されて（図１０参照）、画像は保存されずに終了する（ステップＳ１３４）。
【００９０】
本実施形態によれば、例えば、日付設定や言語選択等のまた、後で言語選択を行う場合には、言語データを保持しておくこともできる。
【００９１】
次に、初期設定時に言語選択を行わず、後で言語選択を行う場合の処理の流れについて、図１４を参照して説明する。まず、ＭＥＮＵ／ＯＫボタン３８が押下され、メニュー画面（セットアップメニュー、図５参照）が表示される（ステップＳ１４０）。次に、上記十字キー（ズームボタン３２）により、言語選択メニューが選択されると、言語選択画面が液晶モニタ２８に表示され、言語選択を受け付ける状態になる（ステップＳ１４２）。そして、十字キー（ズームボタン３２、マクロボタン３４、ストロボボタン３６）等が操作されて言語選択が完了すると（ステップＳ１４４のＹｅｓ）、選択されなかった言語に対応する言語データ（非選択言語データ）がフラッシュメモリ５８から削除される（ステップＳ１４６）。一方、ＢＡＣＫボタン４０により、言語選択がキャンセルされると（ステップＳ１４４のＮｏ）、通常の処理に戻る。
【図面の簡単な説明】
【００９２】
【図１】本発明の一実施形態に係る情報処理装置を備える撮像装置を示す正面斜視図
【図２】本発明の一実施形態に係る情報処理装置を備える撮像装置を示す背面斜視図
【図３】撮像装置１０の主要構成を示すブロック図
【図４】撮像装置１０の初期設定の処理の流れを示すフローチャート
【図５】言語選択画面の例
【図６】フラッシュメモリ５８内の記憶領域を模式的に示すブロック図
【図７】撮像装置１０の撮影時における処理の流れを示すフローチャート
【図８】撮像装置１０の撮影時における処理の第２の実施形態を示すフローチャート
【図９】非選択言語データを削除するかどうかを確認する確認画面の例
【図１０】警告画面の例
【図１１】撮像装置１０の撮影時における処理の第３の実施形態を示すフローチャート
【図１２】警告画面の例
【図１３】撮像装置１０の撮影時における処理の第４の実施形態を示すフローチャート
【図１４】初期設定とは別に後で言語選択を行う場合の処理の流れを示すフローチャート
【符号の説明】
【００９３】
１０…撮像装置、１２…カメラボディ、１４…撮影レンズ、１６…ストロボ、１８…ファインダ窓、２０…レリーズボタン、２２…電源スイッチ、２４…ファインダ接眼部、２６…ファインダランプ、２８…液晶モニタ、３０…モードスイッチ、３２…ズームボタン、３４…マクロボタン、３６…ストロボボタン、３８…ＭＥＮＵ／ＯＫボタン、４０…ＢＡＣＫボタン、４２…表示ボタン、５８…フラッシュメモリ、１１２…非選択言語データ、１１４…選択言語データ
【図１】
2007124362.tif 000003
【図２】
2007124362.tif 000004
【図３】
2007124362.tif 000005
【図４】
2007124362.tif 000006
【図５】
2007124362.tif 000007
【図６】
2007124362.tif 000008
【図７】
2007124362.tif 000009
【図８】
2007124362.tif 000010
【図９】
2007124362.tif 000011
【図１０】
2007124362.tif 000012
【図１１】
2007124362.tif 000013
【図１２】
2007124362.tif 000014
【図１３】
2007124362.tif 000015
【図１４】
2007124362.tif 000016